(57)【要約】【課題】  台所等で鍋や皿やシンクやその他の台所用具にこびり付いた汚れを落とす為の汚れ落とし具を、単純な構造で提供する。【解決手段】  ある程度の反発力を有し自在に曲がる合成樹脂を用いた平面が任意の形の薄い板状体からなり、前記板状体の略中央部あたりに透孔が設けられており、さらに、前記透孔の周りにつまみ部が設けられており、上記の任意の形の周囲が削り部である。【選択図】図１
2008018215.tif 000002
【特許請求の範囲】
【請求項１】
ある程度の反発力を有し自在に曲がる合成樹脂を用いた平面が任意の形の板状体からなり、前記板状体の略中央部あたりに透孔が設けられており、その前記透孔の周りにつまみ部が設けられており、上記の任意の形の周囲が削り部であることを特徴とする、汚れ落とし具。
【請求項２】
縦長の透孔が数箇所あり、その前記透孔は格子状に平行に並んで設けられており、さらに、つまみ部が前記透孔の縦長方向の上下に設けられていることを特徴とする、請求項１記載の汚れ落とし具。
【発明の詳細な説明】
【技術分野】
【０００１】  本発明は、台所等で鍋や皿やシンクやその他の台所用具にこびり付いた汚れを落とす為の汚れ落とし具に関する。
【背景技術】
【０００２】  従来の汚れ落とし具においては、０．７５〜２ミリメートル程の厚さを有する合成樹脂から成る板状のスクレーパーや、又は、０．５ミリメートル以下の厚さの合成樹脂から成る薄いシート状のスクレーパー、又は、ブラシなどがあった。
【発明の開示】
【発明が解決しようとする課題】
【０００３】  従来の技術において、図４に示す様な格子状の構造のグリルの焼き網９の汚れを落とすことに関しては、その網の棒９ａが複数本並んだ前記焼き網９の上下の平面部分はスクレーパーなどで削ぎ落とすことは簡単に出来たが、その前記網の棒９ａ同士の間の内側部分は落とし難かった。そのため、前記網の棒９ａ同士の間にブラシの毛を差し込ませ、その状態のままブラシ本体を、前記網の棒９ａの長さ方向に何度も往復させる様に動かして前記網の棒９ａの内側部分の汚れを擦り落とす場合があった。【０００４】  次に、背景技術に記載の厚さ０．７５ミリメートル以上のスクレーパーは、皿やボウル等の表面の様に断面が大きなＲの場合、その表面に沿わせる様に曲げるのはある程度は可能であった、しかし、図３に示す鍋８の様な、断面が小さなＲの底隅部分に沿わせる様に曲げるのは難しかった。【０００５】  また、背景技術に記載の厚さ０．５ミリメートル以下のスクレーパーでは上記の０．７５ミリメートル以上の厚さのスクレーパーと平面の面積及び形状が同じであった場合、断面が小さなＲの曲面を有する上記鍋８の底隅部分の曲面には沿わせる様に曲げるのは簡単であったが、鍋底等の平面にこびり付いて硬くなった焦げ付き汚れを落とす場合、スクレーパー本体が柔らかすぎて扱い難くかった。【０００６】  次に、フライパンなどの平面部分の焼き面に付着した焦げ付き汚れなどは、背景技術に記載の厚さ０．７５ミリメートル以上のスクレーパーでは簡単に削ぎ落とせたが、ブラシではかなり落とし難くかった。【０００７】  次に、背景技術に記載のスクレーパーの場合、平面ではあるがこびり付き防止の為の多少の凹凸を有する焼き面のフライパンに対しては、スクレーパーが凹凸に引っかかる為、焼き面の汚れを落とすのが難しかった。【０００８】  また、ブラシの場合は、洗いかすがブラシの毛と毛の間に溜り易く、菌が繁殖したり悪臭が発生したりするので不衛生であった。
【課題を解決するための手段】
【０００９】  本発明は、上記背景技術の問題点に鑑みてなされているものであり、その課題を解決するための手段として請求項１の発明は、ある程度の反発力を有し自在に曲がる合成樹脂を用いた平面が任意の形の板状体からなり、前記板状体の略中央部辺りに透孔が設けられており、その前記透孔の周りにつまみ部が設けられており、上記の任意の形の周囲が削り部であることを特徴とする。さらに、請求項２の発明は、縦長の透孔が数箇所あり、その前記透孔は格子状に平行に並んで設けられており、さらに、つまみ部が前記透孔の縦長方向の上下に設けられていることを特徴とする。
【発明の効果】
【００１０】  本発明は、図４に示す様な構造の、網の棒９ａが複数本並んだ格子状の焼き網９の上下の平面部分はもちろん、さらには、前期網の棒９ａ同士の間の内側部分の汚れなどを簡単に削ぎ落とす事が出来る。つまり、従来の板状のスクレーパーでは取り難かった格子状のグリルの焼き網の汚れが、簡単に取れるようになった。【００１１】  次に本発明は、透孔３を設けることによって前記透孔３部分辺りの張る強度が弱くなっている、その為、合成樹脂からなる板状体が曲がり易くなり、台所用品の凹状や凸状の曲面部分に沿い易くなった。その為、従来の板状のスクレーパーでは取り難かった台所用品の凹状や凸状の曲面部分のこびり付き汚れが削ぎ落とし易くなった。【００１２】  次に、従来のスクレーパーでは難しかったが、本発明では、焼き面が平面で、こびり付き防止の為の多少の凹凸を有するフライパンの焼き面の汚れを、本発明である汚れ落とし具の厚さ、及び、格子部４の幅によってはブラシの様に汚れを落とすことも出来る。【００１３】  次に本発明は、簡単な構造である為、製造コストをブラシよりも安くする事が可能ながら、板状のスクレーパーに、格子状のグリルの焼き網の様な狭い所の汚れを落とし易い等の、ブラシの一部の効果を付加させる事が出来た。【００１４】  次に本発明は、ブラシの一部の効果を有するのに、板状なので広げて簡単に洗えて、さらには、ブラシの様に毛と毛の間に洗いかすが溜り易いという事が無く、菌が繁殖したり悪臭が発生したりし難いので衛生的である。
【発明を実施するための最良の形態】
【００１５】
【００１６】  以下、この発明を実施するための最良の形態について、図面に基づいて説明する。図１は、この発明を正面から見た状態を示すもので、厚さ約０．７５ミリメートル程度の軟質のプラスチックの板状材から成っている。さらに詳しくは、前記板状材は、平面の大きさが幅５０ミリメートル、長さ８０ミリメートル程で、ある程度の反発力を有し自在に曲がるポリプロピレンを用いた平面が縦長の長方形の薄い板状であり、その前記板状材の略中央部に、突当りの形状が半円形の縦長の透孔３が７箇所ありその前期透孔３は格子状に平行に並んで設けられており、さらに、前記透孔３の縦長方向の上下部分が、つまみ部２、２ａとなるようにある程度の面積が確保されている。さらに、上記板状材の周囲の四辺が削り部５、５ａである。さらに、前記板状材の周囲の四角の角の内の少なくとも一角が尖り部６と成っている。【００１７】  次に、この実施形態の汚れ落とし具１の使用方法について、まず図１、２、３、を用いて説明する。例えば、フライパン７の裏面部７ａ及び、鍋８の内面部８ａの曲面部分の汚れを削ぎ落とす方法は、図２では凸状の曲面、図３では凹状の曲面に使用している状態を示しているが、まず、この実施形態の汚れ落とし具１の縦長方向側の削り部５を図２ではフライパン７の裏面部７ａ、図３では鍋８の内面部８ａの曲面部分に沿わせる様に押し当てる、そして、その状態のまま削り部５で、フライパン７の裏面部７ａ及び鍋８の内面部８ａの曲面部分に付着した汚れを削ぎ落とすように移動させながら汚れを取る。【００１８】  これら上記の作業は、汚れ落とし具１の中央部分に透孔３が設けられている為その透孔３部分辺りの張る強度が弱くなっている、その為、上記フライパン７の裏面部７ａ及び、上記鍋８の内面部８ａの曲面部分に沿うように曲がり易くなっている為簡単に出来る。【００１９】  次に、上記以外の使用方法を図１、４を用いて説明する。図４に示す様に格子状のグリルの焼き網９の汚れを落とすときは、まず、本発明である汚れ落し具１の格子部４を曲げる様に上下のつまみ部２、２ａ同士を重ねる、そして、その状態まま前記格子部４が下になる様に前記のつまみ部２、２ａを指で摘む、すると、縦長の透孔３が正面から見た場合逆Ｕ字状になる、さらに、その状態のまま、グリルの焼き網９の棒９ａを逆Ｕ字状になった前記透孔３で覆うようにして挟み込ませる、そして、その状態のまま逆Ｕ字状になった前記透孔３の内側部分で、グリルの前記焼き網９の棒９ａに付着した汚れを削ぎ落とす。【００２０】  次に、上記以外の使用方法を図１、５を用いて説明する。焼き面に汚れが付着したフライパン７の焼き面７ｂの汚れを落とすときは、上記と同様に、まず、格子部４を曲げる様に上下のつまみ部２、２ａ同士を重ねる様にした状態で前記のつまみ部２、２ａを指で摘む、すると本発明である汚れ落とし具１の格子部４がブラシの毛の様になる。その状態のまま、格子部４を上記フライパン７の焼き面７ｂにブラシの様に擦りつけながら図５内に示す矢印方向に汚れ落とし具１往復させると、焼き面７ｂの汚れをブラシで落とす様に落とすことが出来る。【００２１】  さらに、焼き面は平面ではあるが、こびり付き防止の為の高低差が０．５ミリメートル前後程度の多少の凹凸を有するフライパンの焼き面の汚れを落とすときは、上記の図５内に示す状態のままの矢印方向を左右方向とするならば、図５内に示す状態のまま前後方向に汚れ落とし具１を往復させるとブラシの様に汚れを落とすことも出来る。この場合、格子部４の幅が細いほど効果的である【００２２】  次に、削り部５ａの使用目的としては、フライパンや鍋の底等の平面部分にこびり付いた、かなり取れ難い焦付き汚れ等を削ぎ落とす場合にスクレーパーとして使用する。【００２３】  次に尖り部６の使用目的としては、例えば、密封容器や弁当箱等の蓋に設けられているゴムパッキンを取り付ける溝や、蓋と本体を嵌合させる為の溝の奥等の狭い場所にこびり付いた汚れを削ぎ落とす場合の用具として使用する。【００２４】  尚、この発明の汚れ落し具は、上記実施形態に限定されるものではなく、各部材の大きさ、形状、及び数量は適宣変更可能である。
【図面の簡単な説明】
【００２５】
【図１】  本発明の実施形態を示す正面図である。
【図２】  本発明の実施形態の使用時の状態を示す斜視図、及び一部切欠の断面図である。
【図３】  本発明の実施形態の使用時の状態を示す斜視図、及び一部切欠の断面図である。
【図４】  本発明の実施形態の使用時の状態を示す斜視図である。
【図５】  本発明の実施形態の使用時の状態を示す斜視図、及び一部切欠の断面図である。
【符号の説明】
【００２６】  ２  つまみ部
３  透孔
４  格子部
５、５ａ  削り部
６  尖り部
【図１】
2008018215.tif 000003
【図２】
2008018215.tif 000004
【図３】
2008018215.tif 000005
【図４】
2008018215.tif 000006
【図５】
2008018215.tif 000007